(57)【特許請求の範囲】
【請求項１】
各々の処理を組み合わせることにより複数の機能を実現し、記録媒体に画像を形成する処理を少なくとも含む各々予め定められた処理を行う第１の処理手段群、前記第１の処理手段群に含まれる第１の処理手段の各々の状態を処理の実行が可能な動作状態又は電力消費を抑えた節電状態に切り替える第１の切替手段、前記第１の切替手段により状態が切り替えられた場合に前記第１の処理手段の各々の切り替え後の状態を示す状態情報を送信する送信手段、何れかの処理の実行の依頼を受信する受信手段、及び前記受信手段により実行の依頼が受信された処理を実行するように前記第１の処理手段の各々を制御する第１制御手段を有する第１の画像形成装置と、
前記複数の機能を実現し、各々前記予め定められた処理を行う第２の処理手段群、前記第２の処理手段群に含まれる第２の処理手段の各々の状態を前記動作状態又は前記節電状態に切り替える第２の切替手段、前記第１の画像形成装置と通信を行う通信手段、前記通信手段を介して前記第１の画像形成装置から送信された前記状態情報を取得して記憶する記憶手段、利用者から前記複数の機能の何れかの実行の指示を受け付ける受付手段、及び前記受付手段により何れかの機能の実行の指示が受け付けられた際に、当該実行を指示された機能の各処理を行う前記第２の処理手段が全て動作状態である場合は、当該実行を指示された機能の各処理を行うように前記第２の処理手段を制御し、当該実行を指示された機能の各処理を行う前記第２の処理手段の少なくとも１つが節電状態である場合で、かつ当該節電状態の前記第２の処理手段に対応する前記第１の処理手段が前記記憶手段に記憶された状態情報において節電状態である場合は、当該実行を指示された機能の各処理を行うように前記第２の処理手段を制御し、前記実行を指示された機能の各処理を行う前記第２の処理手段の少なくとも１つが節電状態である場合で、かつ当該節電状態の前記第２の処理手段に対応する前記第１の処理手段が前記記憶手段に記憶された状態情報において動作状態である場合は、当該動作状態である前記第１の処理手段を有する前記第１の画像形成装置に対して前記通信手段から少なくとも節電状態の前記第２の処理手段の処理の実行の依頼を送信する制御を行う第２制御手段を有する第２の画像形成装置と、
を備えた画像処理システム。
【請求項２】
前記第１の画像形成装置は複数設けられ、
前記記憶手段は、前記通信手段を介して前記第１の画像形成装置の各々から送信された前記状態情報を取得して記憶する
請求項１記載の画像処理システム。
【請求項３】
前記第２制御手段は、前記受付手段により何れかの機能の実行の指示が受け付けられた際に、当該実行を指示された機能に含まれる複数の処理の処理毎に、処理を行う前記第２の処理手段が全て動作状態である場合は、当該実行を指示された機能の各処理を行うように前記第２の処理手段を制御し、処理を行う前記第２の処理手段の少なくとも１つが節電状態である場合で、かつ当該節電状態の前記第２の処理手段に対応する前記第１の処理手段が前記記憶手段に記憶された状態情報において節電状態である場合は、当該実行を指示された機能の各処理を行うように前記第２の処理手段を制御し、処理を行う前記第２の処理手段の少なくとも１つが節電状態である場合で、かつ当該節電状態の前記第２の処理手段に対応する前記第１の処理手段が前記記憶手段に記憶された状態情報において動作状態である場合は、当該動作状態である前記第１の処理手段を有する前記第１の画像形成装置に対して前記通信手段から少なくとも節電状態の前記第２の処理手段の処理の実行の依頼を送信する制御を行う
請求項１又は請求項２記載の画像処理システム。
【請求項４】
前記受付手段は、前記実行を指示された機能の各処理を行う前記第２の処理手段の少なくとも１つが節電状態である場合で、かつ節電状態の前記第２の処理手段に対応する前記第１の処理手段が前記記憶手段に記憶された状態情報において動作状態である場合、当該動作状態の第２の処理手段を有する前記第１の画像形成装置に対する当該第２の処理手段の処理の実行の依頼の許可・不許可の指定をさらに受け付け、
前記第２制御手段は、前記受付手段で前記第１の画像形成装置への依頼が許可された場合、当該第１の画像形成装置に対して前記通信手段から少なくとも節電状態の前記第２の処理手段の処理の実行の依頼を送信する制御を行い、前記受付手段で前記第１の画像形成装置への依頼が不許可の場合、当該実行を指示された機能の各処理を行うように前記第２の処理手段を制御する
請求項１〜３の何れか１項記載の画像処理システム。
【請求項５】
前記受付手段は、前記実行を指示された機能の各処理を行う前記第２の処理手段の少なくとも１つが節電状態である場合で、かつ節電状態の前記第２の処理手段に対応する前記第１の処理手段が前記記憶手段に記憶された状態情報において動作状態である場合、当該動作状態である前記第１の処理手段を有する前記第１の画像形成装置のリストを提示して依頼対象とする前記第１の画像形成装置の指定をさらに受け付け、
前記第２制御手段は、前記受付手段で指定が受け付けられた前記第１の画像形成装置に対して、前記通信手段から少なくとも節電状態の前記第２の処理手段の処理の実行の依頼を送信する制御を行う
請求項２記載の画像処理システム。
【請求項６】
前記受付手段は、前記実行を指示された機能の各処理を行う前記第２の処理手段の少なくとも１つが節電状態である場合で、かつ節電状態の当該第２の処理手段に対応する複数の前記第１の処理手段が前記記憶手段に記憶された状態情報において動作状態である場合は、当該動作状態である前記第１の処理手段の個数が多い前記第１の画像形成装置ほど優先順位を高いものとして当該動作状態である前記第１の処理手段を有する前記第１の画像形成装置のリストを提示して依頼対象とする前記第１の画像形成装置の指定を受け付ける
請求項５記載の画像処理システム。
【請求項７】
各々の処理を組み合わせることにより複数の機能を実現し、記録媒体に画像を形成する処理を少なくとも含む各々予め定められた処理を行う処理手段群と、
前記処理手段群に含まれる複数の処理手段の各々の状態を処理の実行が可能な動作状態又は電力消費を抑えた節電状態に切り替える切替手段と、
他の画像形成装置と通信を行う通信手段と、
前記通信手段を介して前記他の画像形成装置から当該他の画像形成装置が有する処理手段の各々について前記動作状態であるか前記節電状態であるかを示す状態情報を取得して記憶する記憶手段と、
利用者から前記複数の機能の何れかの実行の指示を受け付ける受付手段と、
前記受付手段により何れかの機能の実行の指示が受け付けられた際に、当該実行を指示された機能の各処理を行う前記処理手段が全て動作状態である場合は、当該実行を指示された機能の各処理を行うように前記複数の処理手段を制御し、当該実行を指示された機能の各処理を行う前記処理手段の何れかが節電状態である場合で、かつ当該節電状態の前記処理手段に対応する前記他の画像形成装置が有する処理手段が前記記憶手段に記憶された状態情報において節電状態である場合は、当該実行を指示された機能の各処理を行うように前記複数の処理手段を制御し、前記実行を指示された機能の各処理を行う前記処理手段の何れかが節電状態である場合で、かつ当該節電状態の前記処理手段に対応する前記他の画像形成装置が有する処理手段が前記記憶手段に記憶された状態情報において動作状態である場合は、当該他の画像形成装置に対して前記通信手段から少なくとも節電状態の前記処理手段の処理の実行の依頼を送信する制御を行い、前記通信手段で前記他の画像形成装置から何れかの処理の実行の依頼を受信した場合、受信した処理を実行するように前記複数の処理手段を制御する制御手段と、
有する画像形成装置。
【請求項８】
コンピュータを、前記請求項１〜６の何れか１項記載の第２制御手段として機能させるためのプログラム。
【請求項９】
コンピュータを、前記請求項１記載の第１制御手段として機能させるためのプログラム。
【請求項１０】
コンピュータを、前記請求項７載の制御手段として機能させるためのプログラム。
【発明の詳細な説明】
【技術分野】
【０００１】
本発明は、画像処理システム、画像形成装置及びプログラムに関する。
【背景技術】
【０００２】
特許文献１には、機能毎にコピーボタン、ドキュメントボックスボタン、ファックスボタン、プリンターボタン、スキャナーボタンを設け、選択された機能で必要な部分だけの電源復帰を行う技術が開示されている。
【０００３】
特許文献２には、ＰＣが各プリンタへ現時点において通常モードへの移行に必要とされる消費電力量算出用情報をそれを要求し、各プリンタが消費電力量算出用情報をそれを要求した機器に送信し、ＰＣが各プリンタから収集される消費電力量算出用情報に基づき、印刷枚数と、その印刷枚数の印刷をその時点において開始させた場合に消費されることになる電力量が最も小さいプリンタとの対応関係を特定し、ユーザに通知する技術が開示されている。
【先行技術文献】
【特許文献】
【０００４】
【特許文献１】特開２００４−２２２２３４号公報
【特許文献２】特開２００９−７６００３号公報
【発明の概要】
【発明が解決しようとする課題】
【０００５】
本発明は、実行の指示を受け付けた機能で用いる各処理の何れかの処理手段が節電状態である場合、節電状態の処理手段の処理を他の画像形成装置で行うことにより電力消費を抑えた画像処理システム、画像形成装置及びプログラムを提供することを目的とする。
【課題を解決するための手段】
【０００６】
請求項１の発明である画像処理システムは、各々の処理を組み合わせることにより複数の機能を実現し、記録媒体に画像を形成する処理を少なくとも含む各々予め定められた処理を行う第１の処理手段群、前記第１の処理手段群に含まれる第１の処理手段の各々の状態を処理の実行が可能な動作状態又は電力消費を抑えた節電状態に切り替える第１の切替手段、前記第１の切替手段により状態が切り替えられた場合に前記第１の処理手段の各々の切り替え後の状態を示す状態情報を送信する送信手段、何れかの処理の実行の依頼を受信する受信手段、及び前記受信手段により実行の依頼が受信された処理を実行するように前記第１の処理手段の各々を制御する第１制御手段を有する第１の画像形成装置と、前記複数の機能を実現し、各々前記予め定められた処理を行う第２の処理手段群、前記第２の処理手段群に含まれる第２の処理手段の各々の状態を前記動作状態又は前記節電状態に切り替える第２の切替手段、前記第１の画像形成装置と通信を行う通信手段、前記通信手段を介して前記第１の画像形成装置から送信された前記状態情報を取得して記憶する記憶手段、利用者から前記複数の機能の何れかの実行の指示を受け付ける受付手段、及び前記受付手段により何れかの機能の実行の指示が受け付けられた際に、当該実行を指示された機能の各処理を行う前記第２の処理手段が全て動作状態である場合は、当該実行を指示された機能の各処理を行うように前記第２の処理手段を制御し、当該実行を指示された機能の各処理を行う前記第２の処理手段の少なくとも１つが節電状態である場合で、かつ当該節電状態の前記第２の処理手段に対応する前記第１の処理手段が前記記憶手段に記憶された状態情報において節電状態である場合は、当該実行を指示された機能の各処理を行うように前記第２の処理手段を制御し、前記実行を指示された機能の各処理を行う前記第２の処理手段の少なくとも１つが節電状態である場合で、かつ当該節電状態の前記第２の処理手段に対応する前記第１の処理手段が前記記憶手段に記憶された状態情報において動作状態である場合は、当該動作状態である前記第１の処理手段を有する前記第１の画像形成装置に対して前記通信手段から少なくとも節電状態の前記第２の処理手段の処理の実行の依頼を送信する制御を行う第２制御手段を有する第２の画像形成装置と、を備えている。
また、請求項２に記載の発明は、請求項１記載の発明において、前記第１の画像形成装置は複数設けられ、前記記憶手段は、前記通信手段を介して前記第１の画像形成装置の各々から送信された前記状態情報を取得して記憶するものである。
【０００７】
また、請求項３に記載の発明は、請求項１又は請求項２記載の発明において、前記第２制御手段は、前記受付手段により何れかの機能の実行の指示が受け付けられた際に、当該実行を指示された機能に含まれる複数の処理の処理毎に、処理を行う前記第２の処理手段が全て動作状態である場合は、当該実行を指示された機能の各処理を行うように前記第２の処理手段を制御し、処理を行う前記第２の処理手段の少なくとも１つが節電状態である場合で、かつ当該節電状態の前記第２の処理手段に対応する前記第１の処理手段が前記記憶手段に記憶された状態情報において節電状態である場合は、当該実行を指示された機能の各処理を行うように前記第２の処理手段を制御し、処理を行う前記第２の処理手段の少なくとも１つが節電状態である場合で、かつ当該節電状態の前記第２の処理手段に対応する前記第１の処理手段が前記記憶手段に記憶された状態情報において動作状態である場合は、当該動作状態の前記第１の処理手段を有する前記第１の画像形成装置に対して前記通信手段から少なくとも節電状態の前記第２の処理手段の処理の実行の依頼を送信する制御を行うものである。
【０００８】
また、請求項４に記載の発明は、請求項１〜３の何れか１項記載の発明において、前記受付手段は、前記実行を指示された機能の各処理を行う前記第２の処理手段の少なくとも１つが節電状態である場合で、かつ節電状態の前記第２の処理手段に対応する前記第１の処理手段が前記記憶手段に記憶された状態情報において動作状態である場合、当該動作状態の第２の処理手段を有する前記第１の画像形成装置に対する当該第２の処理手段の処理の実行の依頼の許可・不許可の指定をさらに受け付け、前記第２制御手段は、前記受付手段で前記第１の画像形成装置への依頼が許可された場合、当該第１の画像形成装置に対して前記通信手段から少なくとも節電状態の前記第２の処理手段の処理の実行の依頼を送信する制御を行い、前記受付手段で前記第１の画像形成装置への依頼が不許可の場合、当該実行を指示された機能の各処理を行うように前記第２の処理手段を制御するものである。
また、請求項５に記載の発明は、請求項２記載の発明において、前記受付手段は、前記実行を指示された機能の各処理を行う前記第２の処理手段の少なくとも１つが節電状態である場合で、かつ節電状態の前記第２の処理手段に対応する前記第１の処理手段が前記記憶手段に記憶された状態情報において動作状態である場合、当該動作状態である前記第１の処理手段を有する前記第１の画像形成装置のリストを提示して依頼対象とする前記第１の画像形成装置の指定をさらに受け付け、前記第２制御手段は、前記受付手段で指定が受け付けられた前記第１の画像形成装置に対して、前記通信手段から少なくとも節電状態の前記第２の処理手段の処理の実行の依頼を送信する制御を行うものである。
【０００９】
また、請求項６に記載の発明は、請求項５記載の発明において、前記受付手段は、前記実行を指示された機能の各処理を行う前記第２の処理手段の少なくとも１つが節電状態である場合で、かつ節電状態の当該第２の処理手段に対応する複数の前記第１の処理手段が前記記憶手段に記憶された状態情報において動作状態である場合は、当該動作状態である前記第１の処理手段の個数が多い前記第１の画像形成装置ほど優先順位を高いものとして当該動作状態である前記第１の処理手段を有する前記第１の画像形成装置のリストを提示して依頼対象とする前記第１の画像形成装置の指定を受け付ける。
【００１０】
一方、請求項７の発明である画像形成装置は、各々の処理を組み合わせることにより複数の機能を実現し、記録媒体に画像を形成する処理を少なくとも含む各々予め定められた処理を行う処理手段群と、前記処理手段群に含まれる複数の処理手段の各々の状態を処理の実行が可能な動作状態又は電力消費を抑えた節電状態に切り替える切替手段と、他の画像形成装置と通信を行う通信手段と、前記通信手段を介して前記他の画像形成装置から当該他の画像形成装置が有する処理手段の各々について前記動作状態であるか前記節電状態であるかを示す状態情報を取得して記憶する記憶手段と、利用者から前記複数の機能の何れかの実行の指示を受け付ける受付手段と、前記受付手段により何れかの機能の実行の指示が受け付けられた際に、当該実行を指示された機能の各処理を行う前記処理手段が全て動作状態である場合は、当該実行を指示された機能の各処理を行うように前記複数の処理手段を制御し、当該実行を指示された機能の各処理を行う前記処理手段の何れかが節電状態である場合で、かつ当該節電状態の前記処理手段に対応する前記他の画像形成装置が有する処理手段が前記記憶手段に記憶された状態情報において節電状態である場合は、当該実行を指示された機能の各処理を行うように前記複数の処理手段を制御し、前記実行を指示された機能の各処理を行う前記処理手段の何れかが節電状態である場合で、かつ当該節電状態の前記処理手段に対応する前記他の画像形成装置が有する処理手段が前記記憶手段に記憶された状態情報において動作状態である場合は、当該他の画像形成装置に対して前記通信手段から少なくとも節電状態の前記処理手段の処理の実行の依頼を送信する制御を行い、前記通信手段で前記他の画像形成装置から何れかの処理の実行の依頼を受信した場合、受信した処理を実行するように前記複数の処理手段を制御する制御手段と、有している。
【００１１】
一方、請求項８の発明のプログラムは、コンピュータを、前記請求項１〜６の何れか１項記載の第２制御手段として機能させる。
【００１２】
また、請求項９の発明のプログラムは、コンピュータを、コンピュータを、前記請求項１記載の第１制御手段として機能させる。
【００１３】
また、請求項１０の発明のプログラムは、コンピュータを、前記請求項７載の制御手段として機能させる。
【発明の効果】
【００１４】
請求項１、請求項２、請求項７、請求項８、請求項９、及び請求項１０の発明によれば、実行を指示された機能の各処理を行う処理手段の何れかが節電状態である場合に節電状態の処理手段を動作状態に復帰させて処理を行う場合と比較して、節電状態の処理手段の処理を他の画像形成装置で行うことにより電力消費を抑えることができる。
また、他の画像形成装置の処理手段の状態に関わらず他の画像形成装置に処理を依頼する場合と比較して、処理の実行の依頼する処理手段が節電状態となっている画像形成装置に対して処理の依頼を行うことを防止できる。
【００１６】
請求項４の発明によれば、節電状態の処理手段の処理を無条件で他の画像形成装置に依頼する場合と比較して、必要に応じて自装置の処理手段で処理を行うこともできるため、利用者の利便性を向上させることができる。
【００１７】
請求項６の発明によれば、優先順位を定めずに選択させる場合と比較して、より処理効率の良い画像形成装置を選択させることができる。
【図面の簡単な説明】
【００１８】
【図１】実施の形態に係る画像処理システムの概略的な構成を示すブロック図である。
【図２】実施の形態に係る画像形成装置の概略的な構成を示すブロック図である。
【図３】実施の形態に係る操作パネルの一例を示す平面図である。
【図４】実施の形態に係る他装置状態情報のデータ構造の一例を示す図である。
【図５】実施の形態に係る選択画面の一例を示す図である。
【図６】実施の形態に係る復帰制御処理プログラムの処理の流れを示すフローチャート
【図７】実施の形態に係る原稿読取候補選択画面の一例を示す図である。
【図８】実施の形態に係る印刷制御処理プログラムの処理の流れを示すフローチャートである。
【図９】実施の形態に係る印刷実施候補選択画面の一例を示す図である。
【図１０】実施の形態に係るＦＡＸ制御処理プログラムの処理の流れを示すフローチャートである。
【図１１】実施の形態に係る依頼機能制御処理プログラムの処理の流れを示すフローチャートである。
【図１２】実施の形態に係る各画像形成装置の状態の一例を示す図である。
【発明を実施するための形態】
【００１９】
以下、図面を参照して、本発明を実施するための形態について詳細に説明する。
【００２０】
図１には、本発明が適用された本実施の形態に係る画像処理システム５の構成例が示されている。
【００２１】
同図に示されるように、本実施の形態に係る画像処理システム５は、複数（ここでは４台）の画像形成装置１０Ａ〜１０Ｄと、複数のＰＣ（パーソナル・コンピュータ）７０とを備えている。なお、以下、画像形成装置１０Ａ〜１０Ｄを特に区別しない場合、単に画像形成装置１０を記す。
【００２２】
各画像形成装置１０と各ＰＣ７０は、ＬＡＮ（Local Area Network）等のネットワークＮＥＴを介して接続されており、各画像形成装置１０と各ＰＣ７０はネットワークＮＥＴを介して各種データの送受信を相互に行う。
【００２３】
各画像形成装置１０は、原稿から画像を読み取り、読み取った原稿の画像を示す画像データを生成するスキャン機能、原稿から読み取った画像を印刷するコピー機能、一般通信回線を介して他のＦＡＸ端末装置とＦＡＸ通信を行うファクシミリ（ＦＡＸ）機能、及びＰＣ７０から予め受信した画像データや原稿を読み取って生成した画像データの印刷を行う親展プリント機能を備えている。
【００２４】
図２には、本実施の形態に係る画像形成装置１０の概略構成を示すブロック図が示されている。
【００２５】
本実施の形態に係る画像形成装置１０は、商用電源（例えば、ＡＣ１００Ｖ）に接続され、オン又はオフに切り替えられることにより当該商用電源から供給される電力を通電状態又は非通電状態に切り替える電源スイッチ１２と、電源スイッチ１２に接続され、当該電源スイッチ１２を介して商用電源から供給される電力を第１電圧レベル（例えば、５Ｖ）の直流電力に変換する第１低圧電源装置１４と、電源スイッチ１２に接続され、当該電源スイッチ１２を介して商用電源から供給される電力を第２電圧レベル（例えば、２４Ｖ）の直流電力に変換する第２低圧電源装置１６とを備えている。
【００２６】
また、本実施の形態に係る画像形成装置１０は、各々の処理を組み合わせることによりスキャン機能、コピー機能、ファクシミリ機能、親展プリント機能を実現するための処理手段として、各種の操作ボタン４０（図３参照）やタッチパネル４２が設けられた操作パネル１７と、装置全体の動作を制御するコントローラ１８と、自動原稿送り装置を有し、自動原稿送り装置にセットされた原稿又は予め定めた読込位置に置かれた原稿から画像を読み込み、当該画像を示す画像データを生成するスキャナ２０と、画像データに基づいて電子写真方式にて感光体ドラムに潜像を形成し、形成された当該潜像にトナーを付着させて現像したトナー像を記録用紙に転写する画像形成エンジン２２と、一般通信回線に接続され、一般通信回線を介して他のＦＡＸ端末装置とＦＡＸ通信を行うＦＡＸ通信部２６を備えている。
【００２７】
コントローラ１８は、第１低圧電源装置１４に接続され、当該第１低圧電源装置１４から電力が供給されている。操作パネル１７、スキャナ２０、画像形成エンジン２２及びＦＡＸ通信部２６は、第２低圧電源装置１６に接続され、当該第２低圧電源装置１６から電力が供給されている。
【００２８】
コントローラ１８は、装置全体の動作を司るＣＰＵ（中央処理装置）３０や、制御プログラムを含む各種プログラム等が予め記憶されたＲＯＭ３２、各種データを一時的に記憶するＲＡＭ３４、各種データを記憶して保持するＨＤＤ（ハード・ディスク・ドライブ）３６、ネットワークＮＥＴに接続され、ネットワークＮＥＴを介して他の画像形成装置１０やＰＣ７０との間で各種のデータの送受信を行うネットワークＩ／Ｆ（インタフェース）部３８を備えている。
【００２９】
また、画像形成エンジン２２は、加熱・加圧することにより記録用紙に転写されたトナー像を当該記録用紙に定着させる定着器２４を備えている。
【００３０】
操作パネル１７、コントローラ１８、スキャナ２０、画像形成エンジン２２及びＦＡＸ通信部２６は、バスＢＵＳを介して相互に接続されている。従って、コントローラ１８は、スキャナ２０の作動の制御、画像形成エンジン２２の作動の制御、ＦＡＸ通信部２６を介した他のＦＡＸ端末装置とのＦＡＸ通信の制御を各々行える。また、コントローラ１８は、操作パネル１７に設けられた操作ボタン４０及びタッチパネル４２（図３参照。）に対するユーザの操作状態を把握を行える。また、コントローラ１８は、操作パネル１７に設けられたタッチパネル４２へのメッセージの表示の制御を行える。
【００３１】
また、本実施の形態に係る画像形成装置１０は、第２低圧電源装置１６と、操作パネル１７、スキャナ２０、画像形成エンジン２２、ＦＡＸ通信部２６とを接続する各電力配線にスイッチ９０Ａ〜９０Ｄを設けている。コントローラ１８は、スイッチ９０Ａ〜９０Ｄに接続され、スイッチ９０Ａ〜９０Ｄのオン・オフを制御しており、使用しない機器への電力の供給の停止を行える。
【００３２】
図３には、本実施の形態に係る操作パネル１７の一例が示されている。
【００３３】
操作パネル１７には、テンキー４０Ａ、スタートボタン４０Ｂ、クリアボタン４０Ｃ、節電解除ボタン４０Ｄ等の各種の操作ボタン４０と、タッチ操作が行えるタッチパネル４２とが設けられている。
【００３４】
この節電解除ボタン４０Ｄは、コントローラ１８に直接接続されている。節電状態時、コントローラ１８は、節電解除ボタン４０Ｄの検知に必要な部分に通電がされており、利用者によって節電復帰スイッチが操作されると、前記操作がコントローラ１８によって検知される。
【００３５】
本実施の形態に係る画像形成装置１０は、各機能の処理が行われない状態で予め定められた待機期間を経過すると、動作状態が節電状態へ移行する。この節電状態では、電力消費を抑えて省エネルギー化を実現するため、スイッチ９０Ａ〜９０Ｄをオフして使用しない機器への電力の供給の停止しており、タッチパネル４２の表示及び点灯を停止したり、画像形成エンジン２２の定着器２４への通電をされる電力を停止している。
【００３６】
画像形成装置１０は、節電状態で操作パネル１７の節電解除ボタン４０Ｄが押下されると、操作パネル１７への電力の供給を再開させ、操作パネル１７により利用者から何れかの機能の実行の指示が受け付けられた場合、当該機能で用いる機器が動作状態となるようにスイッチ９０Ａ〜９０Ｄを制御している。
【００３７】
また、本実施の形態に係る画像処理システム５では、各画像形成装置１０がネットワークＮＥＴを介して互いに通知し合うことにより他の画像形成装置１０の状態を把握している。具体的には、各画像形成装置１０は、各機能の開始、終了時や、操作パネル１７、スキャナ２０、画像形成エンジン２２、及びＦＡＸ通信部２６の各機器の状態を節電状態又は動作状態に切り替えた際に、画像形成装置１０のマシン名、機能の開始又は終了、各機器の状態の各情報を含んだ状態情報をネットワークＮＥＴへブロードキャストしており、ネットワークＮＥＴを介して受信される他の画像形成装置１０の状態情報に基づき、他の画像形成装置１０のマシン名、ＩＰアドレス、実行中の機能、各機器の状態を他装置状態情報としてＨＤＤ３６に記憶している。
【００３８】
図４には、他装置状態情報のデータ構造の一例が示されている。
【００３９】
他装置状態情報には、画像形成装置１０毎に、マシン名、ＩＰアドレス、実行中の機能、操作パネル１７、スキャナ２０、画像形成エンジン２２、及びＦＡＸ通信部２６の状態が記憶されている。
【００４０】
次に、本実施の形態に係る画像形成装置１０の作用を説明する。
【００４１】
上述したように本実施の形態に係る画像形成装置１０は、各機能の処理が行われない状態で予め定められた待機期間を経過すると、動作状態が節電状態へ移行する。
【００４２】
また、本実施の形態に係る画像形成装置１０は、各機能の開始、終了時や各機器の状態を節電状態又は動作状態に切り替えた際に、状態情報を互いに送信することにより、他の画像形成装置１０のマシン名、ＩＰアドレス、実行中の機能、各機器の状態を他装置状態情報として記憶している。
【００４３】
利用者は、節電状態の装置を使用する場合、操作パネル１７の節電解除ボタン４０Ｄを押下する。
【００４４】
コントローラ１８、操作パネル１７の節電解除ボタン４０Ｄが押下されると、スイッチ９０Ｄをオンして操作パネル１７への電力の供給を再開させ、タッチパネル４２に、図５に示すようにコピー、スキャン、ＦＡＸ、親展プリントの選択を受け付ける選択画面６０を表示する。この選択画面６０には、コピー、スキャン、ＦＡＸ、親展プリントの各機能にそれぞれに対応して機能選択ボタン６２が設けられている。
【００４５】
画像形成装置１０は、タッチパネル４２に表示された選択画面６０で利用者からコピー、スキャン、ＦＡＸ、親展プリントの何れかの機能の実行の指示が受け付けられた場合、当該機能の処理を実行する。
【００４６】
ところで、画像形成装置１０は、何れかの機能の実行の指示が受け付けられた際に当該機能で用いる機器に節電状態となっている器機があった場合、当該機能を自装置で実行するには節電状態となっている器機を動作状態に復帰させる必要がある。しかし、画像形成装置１０は、節電状態となっている器機を動作状態に復帰させた場合、電力消費が増加する。また、節電状態となっている器機が動作状態に復帰するまで時間がかかる場合、機能の実行が可能となるまで待ち時間が発生する。
【００４７】
特に、画像形成エンジン２２は、定着器２４で加熱・加圧することにより記録用紙に転写されたトナー像を定着させるため、定着を行う際に特定の温度範囲である必要があるが、節電状態が長期間になると、定着器２４の温度が低下する。このため、定着器２４の温度が低下した場合、定着器２４の温度が特定の温度範囲に上昇するまで画像を形成できず、定着器２４のウォームアップの待ち時間が長くなる。
【００４８】
そこで、本実施の形態に係る画像形成装置１０は、機能で用いる各処理を行う何れかの器機が節電状態である場合、状態情報に基づいて節電状態である器機が動作状態である他の画像処理装置へ当該処理の実行を依頼するものとされている。
【００４９】
また、本実施の形態に係る画像形成装置１０は、電力消費を抑えるため原稿の読み取りを他の画像処理装置でも行う省電力モードと、原稿の読み取りを自装置のみで行う利便性重視モードの２つの動作モードを備えている。動作モードは、操作パネル１７から設定されても良く、また、ネットワークＮＥＴを介してＰＣ７０などの外部装置から設定されてもよい。
【００５０】
図６には、タッチパネル４２の選択画面６０で何れかの機能の実行の指示を受けた際にコントローラ１８のＣＰＵ３０により実行される復帰制御処理プログラムの処理の流れを示すフローチャートが示されている。なお、当該プログラムはＲＯＭ３２に予め記憶されている。
【００５１】
ステップＳ１０では、選択画面６０で実行が指示された機能がスキャン、コピー、又はＦＡＸであるか否かを判定し、肯定判定となった場合はステップＳ１４へ移行し、否定判定となった場合はステップＳ１２へ移行する。
【００５２】
ステップＳ１２では、実行が指示された機能が親展プリントであるため、親展プリントの操作画面を表示させる。ＨＤＤ３６の予め定められた親展プリント用の記憶領域にはＰＣ７０から予め受信した画像データや原稿を読み取って生成した画像データが記憶されている。親展プリントの操作画面は、ＨＤＤ３６の親展プリント用の記憶領域に記憶された画像データのファイル名が表示され、印刷枚数等の印刷条件が指定可能とされている。ステップＳ１２では、親展プリント用の操作画面に対して印刷を行う画像データ、印刷枚数等の印刷条件が指定されて処理開始が指示がされた場合、ステップＳ３６へ移行する。
【００５３】
一方、ステップＳ１４では、自装置のスキャナ２０が動作状態であるか否かを判定し、肯定判定となった場合はステップＳ３０へ移行し、否定判定となった場合はステップＳ１６へ移行する。
【００５４】
ステップＳ１６では、設定されている動作モードが利便性重視モードであるか否か判定し、肯定判定となった場合はステップＳ３０へ移行し、否定判定となった場合はステップＳ１８へ移行する。
【００５５】
ステップＳ１８では、他装置状態情報に基づき、スキャナ２０が動作状態の他の画像形成装置１０が存在するか否かを判定し、肯定判定となった場合はステップＳ２０へ移行し、否定判定となった場合はステップＳ３０へ移行する。
【００５６】
ステップＳ２０では、他装置状態情報に基づき、スキャナ２０が動作状態の他の全ての画像形成装置１０において画像の読み取るスキャン、コピー、ＦＡＸの何れかの機能が実行中であるか否かを判定し、肯定判定となった場合はステップＳ３０へ移行し、否定判定となった場合はステップＳ２２へ移行する。
【００５７】
ステップＳ２２では、他装置状態情報に基づき、実行が指示された機能の各処理を行う器機のうち動作状態となっている器機が多い画像形成装置１０を優先順位が高いものとして、原稿を読み取り依頼する他の画像形成装置１０の優先順位を決定する。すなわち、実行の指示が受け付けられた機能がコピーの場合、スキャナ２０及び画像形成エンジン２２が動作状態の他の画像形成装置１０の優先順位を高くし、実行の指示が受け付けられた機能がＦＡＸの場合、スキャナ２０及びＦＡＸ通信部２６が動作状態の他の画像形成装置１０の優先順位を高くする。
【００５８】
ステップＳ２４では、他装置状態情報に基づき、現在、スキャン、コピー、ＦＡＸを実行中の他の画像形成装置１０を除外して、優先順位の高い複数個（ここでは、２個）の画像形成装置１０を原稿読取候補として、タッチパネル４２に原稿読取候補選択画面８０を表示する。
【００５９】
図７には、原稿読取候補選択画面８０の一例が示されている。
【００６０】
原稿読取候補選択画面８０には、原稿読取候補とされた画像形成装置１０のマシン名を表示したボタン８２と、自装置で原稿を読み取ることを指定するボタン８４が設けられている。図７では、画像形成装置１０Ａの優先順位が画像形成装置１０Ｂよりも高いため、画像形成装置１０Ａのマシン名「Ａ」が表示されたボタン８２を画像形成装置１０Ｂのマシン名「Ｂ」が表示されたボタン８２のボタン８２よりも大きく表示している。なお、優先順位の最も高い画像形成装置１０が複数存在する場合は、そのうちの何れか１つを表示するようにしてもよく、全てを表示するようにしてもよい。
【００６１】
上記ステップＳ２４では、ボタン８２又はボタン８４が指定された場合、ステップＳ２６へ移行する。
【００６２】
ステップＳ２６では、自装置で原稿を読み取ることを指定するボタン８４が指定されたか否かを判定し、肯定判定となった場合はステップＳ３０へ移行し、否定判定となった場合はステップＳ２８へ移行する。
【００６３】
ステップＳ２８では、ボタン８２に表示されたマシン名の画像形成装置１０へ、選択画面６０で実行が指示された機能及び依頼する処理を画像の読み取りとする各情報を含んだ依頼情報を送信して画像の読み取りを依頼し、処理終了となる。
【００６４】
一方、ステップＳ３０では、スイッチ９０Ｃをオンさせてスキャナ２０を動作状態へ復帰させる。
【００６５】
ステップＳ３２では、選択画面６０で実行が指示された機能に応じてコピー、ＦＡＸ、又はスキャンの操作画面を表示させる。操作画面は、機能に応じた条件の指定が可能とされている。ステップＳ３０では、操作画面に対して機能に応じた条件が指定されて処理開始が指示がされた場合、ステップＳ３４へ移行する。
【００６６】
ステップＳ３４では、上記ステップＳ３２で指定された条件に従い、スキャナ２０を制御して原稿の読み取りを行い、読み取った原稿の画像を示す画像情報をＨＤＤ３６に記憶させた後、ステップＳ３６へ移行する。
【００６７】
ステップＳ３６では、選択画面６０で実行が指示された機能がスキャンであるか否かを判定し、肯定判定となった場合は処理終了となり、否定判定となった場合はステップＳ３８へ移行する。
【００６８】
ステップＳ３８では、選択画面６０で実行が指示された機能がＦＡＸであるか否かを判定し、肯定判定となった場合はステップＳ４２へ移行し、否定判定となった場合はステップＳ４０へ移行する。
【００６９】
ステップＳ４０では、選択画面６０で実行が指示された機能がコピー又は親展プリントであるため、後述する印刷制御処理（図８）を実行し、印刷制御処理の完了後、処理を終了する。
【００７０】
一方、ステップＳ４２では、指示された機能がＦＡＸであるため、後述するＦＡＸ制御処理（図１０）を実行し、ＦＡＸ制御処理の完了後、処理を終了する。
【００７１】
次に、図８を参照して印刷制御処理について説明する。なお、図８は、コントローラ１８のＣＰＵ３０により実行される印刷制御処理プログラムの処理の流れを示すフローチャートであり、当該プログラムは、ＲＯＭ３２の予め定められた領域に予め記憶されている。
【００７２】
ステップＳ５０では、自装置の画像形成エンジン２２が動作状態であるか否かを判定し、肯定判定となった場合はステップＳ６４へ移行し、否定判定となった場合はステップＳ５２へ移行する。
【００７３】
ステップＳ５２では、他装置状態情報に基づき、画像形成エンジン２２が動作状態の他の画像形成装置１０が存在するか否かを判定し、肯定判定となった場合はステップＳ５４へ移行し、否定判定となった場合はステップＳ６２へ移行する。
【００７４】
ステップＳ５４では、他装置状態情報に基づき、画像形成エンジン２２が動作状態の他の全ての画像形成装置１０において印刷を行うコピー又は親展プリントの機能が実行中
であるか否かを判定し、肯定判定となった場合はステップＳ６２へ移行し、否定判定となった場合はステップＳ５６へ移行する。
【００７５】
ステップＳ５６では、他装置状態情報に基づき、現在、コピー又は親展プリントを実行中の他の画像形成装置１０を除外して、画像形成エンジン２２が動作状態の何れかの画像形成装置１０を印刷実施候補として、タッチパネル４２に印刷実施候補選択画面９０を表示する。
【００７６】
図９には、印刷実施候補選択画面９０の一例が示されている。
【００７７】
印刷実施候補選択画面９０には、印刷実施候補とされた画像形成装置１０のマシン名を表示したボタン９２と、自装置で印刷を行うことを指定するボタン９４が設けられている。なお、画像形成エンジン２２が動作状態の画像形成装置１０が複数存在する場合は、そのうちの何れか１つを表示するようにしてもよく、全てを表示するようにしてもよい。
【００７８】
印刷実施候補選択画面９０には、印刷実施候補とされた画像形成装置１０のマシン名を表示したボタン９２と、自装置での印刷の実行を指定するボタン９４が設けられている。上記ステップＳ５４では、ボタン９２又はボタン９４が指定された場合、ステップＳ５６へ移行する。
【００７９】
ステップＳ５８では、自装置での印刷の実行を指定するボタン９４が指定されたか否かを判定し、肯定判定となった場合はステップＳ６２へ移行し、否定判定となった場合はステップＳ６０へ移行する。
【００８０】
ステップＳ６０では、ボタン９２に表示されたマシン名の画像形成装置１０へ、実行が指示された機能、操作画面又は依頼情報で指定された条件、印刷対象とする画像データ及び依頼する処理を印刷とする各情報を含んだ依頼情報を送信して印刷を依頼し、処理終了となる。
【００８１】
一方、ステップＳ６２では、スイッチ９０Ａをオンさせて画像形成エンジン２２を動作状態へ復帰させる。
【００８２】
ステップＳ６４では、操作画面又は依頼情報で指定された条件に従い、画像形成エンジン２２を制御して印刷を行い、印刷が完了後、処理を終了する。
【００８３】
次に、図１０を参照してＦＡＸ制御処理について説明する。なお、図１０は、コントローラ１８のＣＰＵ３０により実行されるＦＡＸ制御処理プログラムの処理の流れを示すフローチャートであり、当該プログラムは、ＲＯＭ３２の予め定められた領域に予め記憶されている。
【００８４】
ステップＳ７０では、自装置のＦＡＸ通信部２６が動作状態であるか否かを判定し、肯定判定となった場合はステップＳ８４へ移行し、否定判定となった場合はステップＳ７２へ移行する。
【００８５】
ステップＳ７２では、他装置状態情報に基づき、ＦＡＸ通信部２６が動作状態の他の画像形成装置１０が存在するか否かを判定し、肯定判定となった場合はステップＳ７４へ移行し、否定判定となった場合はステップＳ８２へ移行する。
【００８６】
ステップＳ７４では、他装置状態情報に基づき、ＦＡＸ通信部２６が動作状態の他の全ての画像形成装置１０においてＦＡＸ通信を行うＦＡＸの機能が実行中であるか否かを判定し、肯定判定となった場合はステップＳ８２へ移行し、否定判定となった場合はステップＳ８０へ移行する。
【００８７】
ステップＳ８０では、他装置状態情報に基づき、現在、ＦＡＸを実行中の他の画像形成装置１０を除外して、ＦＡＸ通信部２６が動作状態の何れかの画像形成装置１０へ、実行が指示された機能、指定された条件、ＦＡＸ送信対象とする画像データ及び依頼する処理をＦＡＸ送信とする各情報を含んだ依頼情報を送信してＦＡＸ送信を依頼し、処理終了となる。
【００８８】
一方、ステップＳ８２では、スイッチ９０ＢをオンさせてＦＡＸ通信部２６を動作状態へ復帰させる。
【００８９】
ステップＳ８４では、操作画面又は依頼情報で指定された条件に従い、ＦＡＸ通信部２６を制御してＦＡＸ送信を行い、ＦＡＸ送信が完了後、処理を終了する。
【００９０】
一方、画像形成装置１０は、他の画像形成装置１０から依頼情報が受信された場合、依頼された処理を実行する。
【００９１】
図１１には、他の画像形成装置１０から何れかの依頼情報が受信された際にコントローラ１８のＣＰＵ３０により実行される依頼機能制御処理プログラムの処理の流れを示すフローチャートが示されている。なお、当該プログラムはＲＯＭ３２に予め記憶されている。
【００９２】
ステップＳ１００では、受信された依頼情報により依頼された処理が画像の読み取りである否かを判定し、肯定判定となった場合はステップＳ１０４へ移行し、否定判定となった場合はステップＳ１０２へ移行する。
【００９３】
ステップＳ１０２では、受信された依頼情報により依頼された処理が印刷であるか否かを判定し、肯定判定となった場合はステップＳ１１２へ移行し、否定判定となった場合はステップ１１４へ移行する。
【００９４】
一方、ステップＳ１０４では、受信された依頼情報により指示された機能に応じてコピー、ＦＡＸ、又はスキャンの操作画面を表示させ、操作画面に対して機能に応じた条件が指定されて処理開始が指示がされた場合、ステップＳ１０６へ移行する。
【００９５】
ステップＳ１０６では、上記ステップＳ１０４で指定された条件に従い、スキャナ２０を制御して原稿の読み取りを行い、読み取った原稿の画像を示す画像情報をＨＤＤ３６に記憶させた後、ステップＳ１０８へ移行する。
【００９６】
ステップＳ１０８では、受信された依頼情報により指示された機能がスキャンであるか否かを判定し、肯定判定となった場合は処理終了となり、否定判定となった場合はステップＳ１１０へ移行する。
【００９７】
ステップＳ１１０では、受信された依頼情報により指示された機能がＦＡＸであるか否かを判定し、肯定判定となった場合はステップＳ１１４へ移行し、否定判定となった場合はステップＳ１１２へ移行する。
【００９８】
ステップＳ１１２では、受信された依頼情報により指示された機能がコピー又は親展プリントであるため、上述の印刷制御処理（図８）を実行し、印刷制御処理の完了後、処理を終了する。
【００９９】
一方、ステップＳ１１４では、受信された依頼情報により指示された機能がＦＡＸであるため、上述のＦＡＸ制御処理（図１０）を実行し、ＦＡＸ制御処理の完了後、処理を終了する。
【０１００】
ここで、例えば、画像形成装置１０Ａ〜１０Ｄの状態が図１２に示すような状態である場合、画像形成装置１０Ａにおいてコピーを実行すると、画像形成装置１０Ａのスキャナ２０が動作状態であるため、画像形成装置１０Ａにおいて原稿の読み取りが実施される。また、原稿の読み取り後、画像形成装置１０Ａの画像形成エンジン２２が節電状態であり、画像形成装置１０Ｂの画像形成エンジン２２が動作状態であるため、印刷実施候補として画像形成装置１０Ｂ又は自装置（画像形成装置１０Ａ）を選択可能な印刷実施候補選択画面９０が表示される。印刷実施候補選択画面９０において画像形成装置１０Ｂでの実行が指定されると、画像形成装置１０Ｂにおいて印刷が実行される。これにより、画像形成装置１０Ａの画像形成エンジン２２が節電状態のまま維持されるため、画像処理システム５全体での電力消費を抑えることができる。また、印刷実施候補選択画面９０において自装置（画像形成装置１０Ａ）での実行が指定されると、画像形成装置１０Ａの画像形成エンジン２２を動作状態に復帰させた後に画像形成装置１０Ａにおいて印刷が実行される。これにより、画像形成装置１０Ａで印刷が行われるため、利用者の利便性の低下も抑制できる。
【０１０１】
また、例えば、画像形成装置１０Ａ〜１０Ｄの状態が図１２に示すような状態である場合、画像形成装置１０Ｄにおいてコピーを実行すると、画像形成装置１０Ｄのスキャナ２０が節電状態であり、画像形成装置１０Ｂの画像形成エンジン２２が動作状態であるため、画像形成装置１０Ｄに省電力モードが設定されている場合、原稿読取候補として画像形成装置１０Ａ又は自装置（画像形成装置１０Ｄ）を選択可能な原稿読取候補選択画面８０が表示される。原稿読取候補選択画面８０において画像形成装置１０Ａでの実行が指定されると、画像形成装置１０Ａにおいて画像の読み取りが実行される。これにより、画像形成装置１０Ｄのスキャナ２０が節電状態のまま維持されるため、画像処理システム５全体での電力消費を抑えることができる。また、原稿読取候補選択画面８０において自装置（画像形成装置１０Ｄ）での実行が指定されると、画像形成装置１０Ｄの画像形成エンジン２２を動作状態に復帰させた後に画像形成装置１０Ｄにおいて原稿の読み取りが実行される。また、画像形成装置１０Ｄに利便性重視モードが設定されている場合も同様に画像形成装置１０Ｄのスキャナ２０を動作状態に復帰させた後に画像形成装置１０Ｄにおいて原稿の読み取りが実行される。これにより、画像形成装置１０Ｄで原稿の読み取りが行われるため、利用者の利便性の低下も抑制できる。
【０１０２】
このように、画像形成装置１０は、実行を指示された機能の各処理を行う器機の何れかが節電状態である場合、当該機能が動作状態の他の画像形成装置１０に処理の実行の依頼を送信して他の画像形成装置１０で処理を実行することにより、節電状態の器機を復帰させる必要が無くなるため、画像処理システム５全体での電力消費を抑えることができる。
【０１０３】
なお、本発明は、上記実施の形態に限定されるものではなく、特許請求の範囲に記載された範囲内で設計上の変更をされたものにも適用可能であるのは勿論である。
【０１０４】
また、上記実施の形態では、各画像形成装置１０が各機能の開始、終了時や、操作パネル１７、スキャナ２０、画像形成エンジン２２、及びＦＡＸ通信部２６の各機器の状態を節電状態又は動作状態に切り替えた際に状態情報をネットワークＮＥＴへブロードキャストすることにより、各画像形成装置１０が他の画像形成装置１０の状態を把握する場合について説明したが、これに限定されるものではない。例えば、各画像形成装置１０が他の画像形成装置１０の状態を把握する必要がある際に、他の画像形成装置１０へ状態情報の送信を要求するようにしてもよい。
【０１０５】
また、上記実施の形態では、各画像形成装置１０の親展プリント機能を自装置に記憶された画像データを個別に印刷する機能とした場合について説明したが、これに限定されるものではない。例えば、各画像形成装置１０は親展プリント機能を選択された際に、他の画像形成装置１０に対して親展プリントの画像データの送信を要求し、他の画像形成装置１０に記憶された親展プリントの画像データを印刷できるようにしてもよい。
【０１０６】
また、上記実施の形態では、実行が指示された機能の各処理を行う器機のうち動作状態となっている器機が多い画像形成装置１０を優先順位が高いものとして、原稿を読み取り依頼する他の画像形成装置１０の優先順位を決定する場合について説明したが、これに限定されるものではない。例えば、画像形成装置１０毎にスキャナ２０の動作状態での単位時間当たりの消費電力を記憶しておき、動作状態に復帰させた際の消費電力の少ない画像形成装置１０を優先順位が高いものとして、原稿を読み取り依頼する他の画像形成装置１０の優先順位を決定してもよい。印刷実施候補やＦＡＸ送信を行う装置も同様に、画像形成装置１０毎に画像形成エンジン２２やＦＡＸ通信部２６の動作状態での単位時間当たりの消費電力を記憶しておき、動作状態に復帰させた際の消費電力の少ない画像形成エンジン２２やＦＡＸ通信部２６を候補としてもよい。
【０１０７】
また、上記実施の形態では、原稿読取候補選択画面８０において優先順位の高い画像形成装置１０のボタン８２を大きく表示した場合について説明したが、これに限定されるものではなく、優先順位の高い画像形成装置１０を選択し易いように表示できれば表示形態は何れであってもよい。
【０１０８】
また、上記実施の形態では、画像処理システム５に各画像形成装置１０は、それぞれ操作パネル１７、スキャナ２０、画像形成エンジン２２、ＦＡＸ通信部２６への通電を個別に切替えることができる場合について説明したが、これに限定されるものではない。例えば、画像処理システム５に、節電状態としてスキャナ２０、画像形成エンジン２２、ＦＡＸ通信部２６への通電を一括して切り替える画像形成装置が含まれてもよい。
【符号の説明】
【０１０９】
５      画像処理システム
１０    画像形成装置
１７    操作パネル（処理手段、受付手段）
１８    コントローラ
２０    スキャナ（処理手段）
２２    画像形成エンジン（処理手段）
２６    ＦＡＸ通信部（処理手段）
３０    ＣＰＵ（制御手段）
３８    ネットワークＩ／Ｆ部（取得手段）
９０Ａ〜９０Ｄ  スイッチ（切替手段）
【図１】
0005600999.tif 000002
【図２】
0005600999.tif 000003
【図３】
0005600999.tif 000004
【図４】
0005600999.tif 000005
【図５】
0005600999.tif 000006
【図６】
0005600999.tif 000007
【図７】
0005600999.tif 000008
【図８】
0005600999.tif 000009
【図９】
0005600999.tif 000010
【図１０】
0005600999.tif 000011
【図１１】
0005600999.tif 000012
【図１２】
0005600999.tif 000013